(57)【特許請求の範囲】
【請求項１】
前面パネルの表面上に導電膜と誘電体膜が順次積層された表面処理膜が形成され、前記前面パネルの外周部に補強バンドが装着された陰極線管において、
前記誘電体膜上に、前記前面パネル内の有効画面領域を囲むように導電性材料からなる閉ループが形成されており、前記閉ループは前記補強バンドと導通して回路的に接地されている陰極線管。
【請求項２】
前記閉ループはその全周のうちの一部において前記補強バンドから離間している、請求項１に記載の陰極線管。
【請求項３】
前記閉ループは前記有効画面領域の外縁に沿ったほぼ長方形をなしており、前記閉ループの少なくとも一辺が前記補強バンドの近接する一辺とほぼ平行に形成されている、請求項２に記載の陰極線管。
【請求項４】
前記前面パネルに接合されたファンネルの一側面にアノード端子が設けられており、前記閉ループの四辺のうち前記アノード端子が位置する側の辺が、前記補強バンドの近接する一辺と所定の間隔をおいてほぼ平行に形成されている、請求項３に記載の陰極線管。
【請求項５】
前記有効画面領域を囲む閉ループが複数個形成されている、請求項１〜４のいずれかに記載の陰極線管。
【請求項６】
前記閉ループは、前記有効画面領域を囲む大ループと、前記有効画面領域の外側に配列された複数個の小ループとからなる、請求項１〜４のいずれかに記載の陰極線管。
【請求項７】
前記前面パネルに接合されたファンネルの一側面にアノード端子が設けられており、前記有効画面領域の四辺のうち前記アノード端子が位置する側の辺の外側に前記小ループが配列されている、請求項６に記載の陰極線管。
【発明の詳細な説明】
【０００１】
【発明の属する技術分野】
本発明は、陰極線管に関し、特に前面パネルの前面に発生する不要電磁界を低減するためのパネル構造に関するものである。
【０００２】
【従来の技術】
図９は、陰極線管と偏向ヨークとからなる一般的な陰極線管装置の一部切り欠き斜視図を示す。陰極線管は、前面パネル１、ファンネル部９１およびネック部９２からなるガラス製外囲器と、ネック部９２に封入された電子銃９３と、前面パネル１の内面に形成された蛍光体スクリーン面９６と、蛍光体スクリーン面９６の電子銃９３側に所定の間隔をあけて配置された色選択電極９７と、磁気シールド９８と、前面パネル１の外表面上に形成された帯電防止・反射防止等の機能を持つ多層膜（図示せず）とから構成される。偏向ヨーク９５は、電子銃９３から放射される電子ビーム９４を偏向させるために、陰極線管のネック部９２の周囲に装着される。図示していないが、ファンネル部９１の側面には、陰極線管内にアノード電圧を印加するためのアノード端子が設けられている。アノード端子は通常、ファンネル部９１の長辺側に設けられる。
【０００３】
図１０は前面パネル１の平面図を、図１１は前面パネル１周縁部の断面拡大図をそれぞれ示す。図１０に示すように、前面パネル１のほぼ全面に表面処理膜（図示せず）が形成され、長辺側の上下に接地電極６と、接地電極６を防爆用の金属製補強バンド７に接続する導電性テープ５とが設けられている。前面パネル１には、電子ビームが走査されて蛍光体を発光させる領域である有効画面領域９が形成されている。図１１に示すように、表面処理膜２は、前面パネル１上に導電膜３と反射防止等の機能を有する絶縁膜４とが積層されたものである。表面処理膜２上には超音波ハンダにより導電膜３と導通するように形成された接地電極６（特開平８−２８７８５０号公報）が設けられており、導電性テープ５を介して補強バンド７に導通している。
【０００４】
蛍光体スクリーン面９６が高電圧陽極電位に保持されているため、前面パネル１は帯電して高電位となり、使用者に対して電撃を与えたり、その際の放電で近傍の電子機器を誤動作させたりするなどの悪影響を及ぼすおそれがある。導電膜３および接地電極６は、このような事態を回避するために設けられているものである。
【０００５】
ところで近年、高周波で動作を繰り返す偏向ヨーク９５や電子銃９３のアノード部から発生する電磁波により、使用者やその近傍にいる人たちの人体になんらかの影響が及ぶことが懸念されている。端末用の表示装置に対してスウェーデンでＭＰＲおよびＴＣＯというガイドラインが制定されており、表示装置の守るべき一つの指針となっている。これらのガイドラインの中に、表示装置から発生する漏洩電界の抑制が明記してある。このうち最も厳しいＴＣＯガイドラインでは、前面パネルの前面から３０〔ｃｍ〕の位置において、ＶＬＦ（Ｖｅｒｙ  Ｌｏｗ  Ｆｒｅｑｕｅｎｃｙ：帯域２〔ｋＨｚ〕〜４００〔ｋＨｚ〕）帯域の交番電界に対し、漏洩電界が１．０〔Ｖ／ｍ〕以下とすべきことが要求されている。
【０００６】
ＴＣＯガイドラインの要求をクリアするための技術として、たとえば特開平１０−３８６８号公報には、前面パネルの外表面に表面抵抗値が９×１０２〔Ω／□〕以下の高屈折率透明導電膜を形成し、この導電膜と導通するターミナルを前面パネルの２辺または４辺に複数個配置することが開示されている。また、特開平１０−２３３１８０号公報には、透明基板上に１×１０３〔Ω／□〕以下の表面抵抗値を有する導電膜と反射防止膜を形成したものを前面パネルの外表面に貼り付け、最上層の表面に電極を設けこれを電気回路的に接地することが開示されている。
【０００７】
上記の各従来技術はともに前面パネルに誘起する電位を最上面の電極により回路上の接地面に逃がすことにより前面パネル表面の高電位化を抑制するものである。
【０００８】
【発明が解決しようとする課題】
上記の従来技術を用いて、偏向ヨークやアノード線から前面パネル表面上に発生する漏洩電界を十分に抑制するためには、前面パネル表面上の反射防止膜の下層に形成される導電膜の抵抗値として、上述のとおり約１×１０３〔Ω／□〕以下が必要である。しかしながら、このような低い抵抗値の導電膜を形成するためには、銀や白金を含む特殊な材料をスピンコート法やスパッタリング法でコーティングしなければならないので、製造コストが高くなるという問題点を有していた。そこで、１×１０３〔Ω／□〕以上の抵抗値を有する導電膜でＴＣＯガイドラインの要求を満たそうとすると、今度は漏洩電界のキャンセル回路を別途付加しなければならない等、回路面での多大なコストや工程負担を要するという問題があった。
【０００９】
本発明は上記事情に鑑みなされたものであり、１×１０３〔Ω／□〕以上の抵抗値を有する導電膜であっても十分な漏洩電界抑制効果が得られる前面パネルの構造を提供することを目的とするものである。
【００１０】
【課題を解決するための手段】
上記課題を解決するため本発明の陰極線管は、前面パネルの表面上に導電膜と誘電体膜が順次積層された表面処理膜が形成され、前記前面パネルの外周部に補強バンドが装着された陰極線管において、前記誘電体膜上に、前記前面パネル内の有効画面領域を囲むように導電性材料からなる閉ループが形成されており、前記閉ループは前記補強バンドと導通して回路的に接地されている陰極線管（請求項１）。この構成によれば、陰極線管からの漏洩電界が閉ループによりキャンセルされる。
【００１１】
また、前記閉ループはその全周のうちの一部において前記補強バンドから離間していることが好ましい（請求項２）。この構成によれば、漏洩電界をさらに低減できる。
【００１２】
また、前記閉ループは前記有効画面領域の外縁に沿ったほぼ長方形をなしており、前記閉ループの少なくとも一辺が前記補強バンドの近接する一辺とほぼ平行に形成されていることが好ましい（請求項３）。この構成によれば、漏洩電界を低減できる。
【００１３】
また、前記前面パネルに接合されたファンネルの一側面にアノード端子が設けられており、前記閉ループの四辺のうち前記アノード端子が位置する側の辺が、前記補強バンドの近接する一辺と所定の間隔をおいてほぼ平行に形成されていることが好ましい（請求項４）。この構成によれば、漏洩電界の低減効果が高まる。陰極線管は通常、ファンネルの長辺側の側面にアノード端子が設けられているので、閉ループの長辺を近接する補強バンドから離して設けるのが好ましい。
【００１４】
また、前記有効画面領域を囲む閉ループが複数個形成されていることが好ましい（請求項５）。この構成によれば、漏洩電界の低減効果がさらに高まる。
【００１５】
また、前記閉ループは、前記有効画面領域を囲む大ループと、前記有効画面領域の外側に配列された複数個の小ループとからなることが好ましい（請求項６）。この構成によれば、漏洩電界の低減効果がさらに高まる。
【００１６】
また、前記前面パネルに接合されたファンネルの一側面にアノード端子が設けられており、前記有効画面領域の四辺のうち前記アノード端子が位置する側の辺の外側に、前記小ループが配列されていることが好ましい（請求項７）。この構成によれば、漏洩電界の低減効果がさらに高まる。陰極線管は通常、ファンネルの長辺側の側面にアノード端子が設けられているので、大ループの長辺側に小ループを配列することが好ましい。
【００１７】
【発明の実施の形態】
以下、本発明の実施の形態について、図面を用いて説明する。本発明の陰極線管は、前面パネルに導電性材料の閉ループを設けた点に特徴を有するので、以下閉ループに関連する事項について詳述し、他の部分についての説明は省略する。
【００１８】
（第１の実施の形態）
図１は本発明による前面パネルの正面図を、図２は前面パネル周辺部の断面拡大図をそれぞれ示す。前面パネル１は、その表面に表面処理膜２が形成され、周囲に防爆用の金属製補強バンド７が装着される。表面処理膜２は、最下層の導電膜３と、その上の絶縁物からなる２層の低反射膜４とから構成される。導電膜３は、酸化スズ（ＳｎＯ２）を主成分とした表面抵抗値５×１０４〔Ω／□〕のものである。
【００１９】
表面処理膜２の表面に、幅２５〔ｍｍ〕で厚さ０．１〔ｍｍ〕のアルミニウム製導電性テープ５（寺岡製作所製、品番ＭＦＴ−８３０）が、有効画面領域９を取り囲むようにして貼り付けられて閉ループが形成されている。この閉ループは、長辺１２と短辺１３のそれぞれ２本ずつの導電性テープ５を別々に貼り付けることにより形成されている。長辺１２は、補強バンド７の長辺と約５〔ｍｍ〕の間隔を保って補強バンド７とほぼ平行に延びており、長辺１２の両端部すなわち補強バンド７の四隅部において補強バンド７と導通している。短辺１３は、表面処理膜と補強バンド７の短辺の双方にまたがるように導電性テープ５を貼り付けて形成したものであり、その全長にわたって補強バンド７と接触している。補強バンド７は回路的に接地しており、導電性テープ５は補強バンド７を通じて回路的に接地されている。なお、表面処理膜２には、従来技術のような接地電極が形成されていない。
【００２０】
この前面パネル１を組み込んだ陰極線管を用いて、前面パネル１の前面に発生する漏洩電界を測定した。漏洩電界をキャンセルするための回路を付加しなかったにもかかわらず、ＶＬＦの測定周波数帯において漏洩電界０．７２〔Ｖ／ｍ〕が得られ、ＴＣＯのガイドラインを十分に満足するものとなった。
【００２１】
表１は、４６〔ｃｍ〕（１９インチ）のコンピュータモニタ用カラー陰極線管に本発明を適用し、ＴＣＯガイドラインに従ってＶＬＦ帯の漏洩電界を測定した結果を、比較例と比較して示している。
【００２２】
【表１】
0003617380.tif 000002
【００２３】
表１において、▲１▼〜▲４▼が本発明によるものであり、漏洩電界キャンセル回路も設けていない。
【００２４】
▲１▼は、図３に示すように導電性テープ５が全周にわたって補強バンド７と接触している場合であり、漏洩電界は０．９５〔Ｖ／ｍ〕であった。
【００２５】
▲２▼は、図１に示すように、長辺１２において導電性テープ５と補強バンド７とが非接触の場合であり、上述のとおり漏洩電界は０．７２〔Ｖ／ｍ〕であった。
【００２６】
▲３▼は、図４に示すように、短辺１３において導電性テープ５と補強バンド７とが非接触の場合であり、漏洩電界は０．８７〔Ｖ／ｍ〕であった。短辺１３と補強バンド７との間隔は５〔ｍｍ〕とした。▲２▼と▲３▼とを比較すると、長辺１２側において導電性テープ５と補強バンド７とを非接触とした▲２▼の場合に、より高い効果が得られている。これは、漏洩電界の主要な発生源であるアノード端子がファンネル９１の長辺側に設けられているからである。導電性テープ５と補強バンド７との間に所定の間隔をあけることにより、導電性テープ５の長辺１２と補強バンド７の長辺とが、長辺方向に延びる別個の閉ループを形成し、漏洩電界を低減させている。
【００２７】
▲４▼は、図５に示すように、導電性テープ５の長辺１２も短辺１３も補強バンド７と非接触であって、四隅部においてのみ導電性テープ５と補強バンド７とが接触している場合であり、漏洩電界は０．６４〔Ｖ／ｍ〕と最高の漏洩電界低減効果が得られた。導電性テープ５と補強バンド７との間隔は５〔ｍｍ〕である。
【００２８】
比較例の▲５▼は、図６に示すように、ループが隅部６１において切れて開ループになっている場合であり、漏洩電界は１．１４〔Ｖ／ｍ〕であった。
【００２９】
▲６▼は、図１０に示すように、従来技術による電極６を設けた場合であり、漏洩電界は１．５０〔Ｖ／ｍ〕であった。
【００３０】
▲７▼は、本発明に係る閉ループも従来技術に係る電極も設けない場合であり（図示せず）、漏洩電極は１．８０〔Ｖ／ｍ〕であった。
【００３１】
以上の結果から明らかなように、四隅部においてのみ閉ループと補強バンド７とが接触して、長辺および短辺において閉ループと補強バンド７とが離間している場合に、漏洩電界の低減効果が最も高くなる。これは、有効画面領域９を囲む大きな閉ループに加えて、導電性テープ５の長辺１２と補強バンド７の長辺とからなる細長い閉ループと、導電性テープ５の短辺１３と補強バンド７の短辺とからなる細長い閉ループとがそれぞれ形成されるためである。
【００３２】
（第２の実施の形態）
図７は、本発明の第２の実施の形態を示す。本実施の形態では、導電性テープ５の閉ループは、有効画面領域９を囲む内側の第１の閉ループと、第１の閉ループを囲むように設けられた外側の第２の閉ループとからなる、２重構造となっている。
【００３３】
２つの閉ループはともに、幅１２．５〔ｍｍ〕、厚さ０．１〔ｍｍ〕のアルミニウム製導電性テープにより形成されている。それぞれの閉ループは、長辺と短辺それぞれ２本ずつ、計８本の導電性テープ５を別々に貼って形成しており、各導電性テープの端部が四隅部において補強バンド７と接触している。
【００３４】
この構成によるＶＬＦ帯の漏洩電界は、０．５２〔Ｖ／ｍ〕であった。
【００３５】
（第３の実施の形態）
図８は、本発明の第３の実施の形態を示す。本実施の形態では、閉ループは、有効画面領域９を囲む大ループと、さらに大ループの長辺に沿って多数配列された小ループとからなっている。
【００３６】
大ループは、幅１２．５〔ｍｍ〕、厚さ０．１〔ｍｍ〕のアルミニウム製導電性テープによって形成される。小ループは、一辺の長さが約５〔ｍｍ〕の正方形である。大ループは、長辺１２と短辺１３それぞれ２本ずつの導電性テープを別々に貼り付けることにより形成されている。大ループの長辺１２の内側で、かつ、有効画面領域９の外側に、この長辺１２と約５〔ｍｍ〕の間隔をあけて平行に、幅２〔ｍｍ〕、厚さ０．１〔ｍｍ〕の導電性テープを貼り、この２本の長辺側導電性テープの間に、幅２〔ｍｍ〕、厚さ０．１〔ｍｍ〕の導電性テープを所定間隔をあけて多数渡すことにより、多数の小ループを形成している。
【００３７】
この構成によるＶＬＦ帯の漏洩電界は、０．４３〔Ｖ／ｍ〕であった。
【００３８】
同様の連続した小ループを短辺１３側にのみ形成した場合には、漏洩電界は０．５０〔Ｖ／ｍ〕であった。したがって、アノード端子側およびその対向側である長辺１２側に小ループを形成することが好ましい。
【００３９】
以上、閉ループをアルミニウム製導電性テープで形成する場合について説明したが、他の導電性テープ、ガラスハンダ、導電性塗料などを用いてもよい。いずれの材料も安価で、かつ容易に取り付け可能なものである。
【００４０】
【発明の効果】
以上説明したように本発明によれば、前面パネル表面上に導電性材料からなる閉ループを設けることにより、高い漏洩電界抑制効果が得られ、その結果、１×１０３Ω／□以上の抵抗値を持つ導電膜層であっても、ＴＣＯガイドラインを満足する１．０〔Ｖ／ｍ〕以下の漏洩電界抑制を、安価かつ容易に実現することができる。
【図面の簡単な説明】
【図１】本発明の第１の実施の形態の陰極線管の前面パネルの正面図
【図２】同じく前面パネルの周辺部の断面拡大図
【図３】同じく前面パネルの他の実施例を示す正面図
【図４】同じく前面パネルの他の実施例を示す正面図
【図５】同じく前面パネルの他の実施例を示す正面図
【図６】前面パネルの比較例を示す正面図
【図７】本発明の第２の実施の形態の前面パネルの正面図
【図８】本発明の第３の実施の形態の前面パネルの正面図
【図９】陰極線管の一部切り欠き斜視図
【図１０】従来の前面パネルの正面図
【図１１】同じく従来の前面パネルの周辺部の断面拡大図
【符号の説明】
１  前面パネル
２  多層膜
３  導電膜
４  絶縁層
５  導電性テープ
７  補強バンド
９  有効画面領域
１２  長辺
１３  短辺
【図１】
0003617380.tif 000003
【図２】
0003617380.tif 000004
【図３】
0003617380.tif 000005
【図４】
0003617380.tif 000006
【図５】
0003617380.tif 000007
【図６】
0003617380.tif 000008
【図７】
0003617380.tif 000009
【図８】
0003617380.tif 000010
【図９】
0003617380.tif 000011
【図１０】
0003617380.tif 000012
【図１１】
0003617380.tif 000013